(57)【要約】【課題】飲料容器Ａの上部開口部に装着され、周壁部１１と蓋板部１２とを備え、蓋板部の一方側に流出口１３を設けると共に、流出口１３を開閉する開閉蓋を有する飲料容器の蓋体において、開閉蓋２が喫飲時に邪魔にならない構造とする。【解決手段】開閉蓋２が流出口１３を閉口する蓋部２１を備え、前記開閉蓋が回動自在となるように枢支すると共に、枢支箇所（支持腕２２）を全閉時の蓋部より上方に設けて、全開時に蓋部が周壁部１１上で水平に位置し、流出口側の周壁部を飲み口部１１１に形成してなる。【選択図】図６
2014097410.tif 000002
【特許請求の範囲】
【請求項１】
飲料容器の上部開口部に装着され、周壁部と前記開口部を塞ぐ蓋板部とを備え、蓋板部の一方側に流出口を設けると共に、前記流出口を開閉する開閉蓋を有する飲料容器の蓋体において、前記開閉蓋が流出口を閉口する蓋部を備え、前記開閉蓋が回動自在となるように枢支すると共に、枢支箇所を全閉時の蓋部より上方の周壁内側に設けて、全開時に蓋部が周壁部上で水平に位置し、流出口側の周壁部を飲み口部に形成してなることを特徴とする飲料容器の蓋体。
【請求項２】
周壁部における飲み口部となる箇所を高く形成してなる請求項１記載の飲料容器の蓋体。
【発明の詳細な説明】
【技術分野】
【０００１】
本発明は、容器本体の上方開口部に装着する飲料容器の蓋体に関するものである。
【背景技術】
【０００２】
飲料容器の容器本体開口部に装着する蓋体には、開口部を塞ぐ蓋板部に流出口を備えると共に前記流出口を開閉する開閉蓋を備え、蓋体を取り外すことなく喫飲を可能としたものが知られている。
【０００３】
例えば特許文献１（登録実用新案第３００１８５０号公報）には、蓋板部の周囲に周壁を設けると共に周壁の一側に流出口を設け、前記流出口を開閉する開閉蓋部と流出口閉塞時に流出口形成側の周壁と当接する操作立板部を備えた開閉蓋を、操作立板部と反対側で蓋板部に回動自在に連結し、開閉蓋開口時に開閉蓋が嵌合する周壁切欠部を設けている蓋体が開示されている。
【０００４】
特に前記蓋体には、開閉蓋の閉塞時及び開放時の係止構造として、閉塞時には流出口内周端面に設けた突起と開閉蓋に設けた流出口閉塞部の外周面に設けた係合部（凹部）との係合で係止され、開放時には周壁切欠部の端面に突起を設け、前記開閉蓋側端面が前記突起を越えることで係止する構成が示されている。
【０００５】
また特許文献２（特開２００８−２６０５４４号公報）には、前記特許文献と同様に周壁及び流出口を設け、蓋板部の中心線よりも流出口の反対側にまで張り出した半円形の開閉蓋部を備え、前記開閉蓋部の側端に軸部を設け、周壁に設けた軸穴に前記軸部を装着して開閉蓋部の開閉を行う蓋体が開示されている。
【０００６】
前記蓋体には、開閉蓋の閉塞時及び開放時の係止構造として、閉塞時及び開放時における軸近傍箇所において、周壁内周面壁面と開閉蓋部端面に設けた凹凸部の段差越え移動によって係止する構成が開示されている。
【０００７】
また飲料容器の蓋部材に飲料物調製部が組み込まれている構成が知られている。例えば特許文献３（特開平１１−２５３３１２号公報）には、底方に茶こし網部を備えた下方筒体と、下方筒体の上方開口部を塞ぐ蓋体を備えた飲料容器が開示されている。
【先行技術文献】
【特許文献】
【０００８】
【特許文献１】登録実用新案第３００１８５０号公報。
【特許文献２】特開２００８−２６０５４４号公報。
【特許文献３】特開平１１−２５３３１２号公報。
【発明の概要】
【発明が解決しようとする課題】
【０００９】
前記した特許文献３記載の飲料容器のように飲料物調製部が蓋体に組み込まれているものは、当該飲料調製部（下方筒体）が飲料容器の上方開口部分全体を塞ぐように設けているため、茶こし網部に茶葉を入れ、湯を注ぎ入れた茶湯を調製した後に、これを喫飲する場合には、蓋部材全体（蓋体と下方筒体）を容器本体から取り外す必要があり、必ずしも使い易いとは言えない。
【００１０】
また蓋体を容器本体に装着したまま喫飲可能とした開閉蓋付の蓋体を採用した場合には、特許文献１，２に開示されている蓋体では、開閉蓋が蓋板部の中心位置まで進出して設けられているので、蓋板部に飲料調製部を付設しようとしても、充分な大きさが確保できない。
【００１１】
また特許文献１，２に開示されている開閉蓋の閉塞時及び開放時の係止構造は、樹脂の弾性を利用した突起・突部を越えて係止する構造であるが、弾性方向に動作しない母体に設けた突起・突部自体の弾性のみを利用しているために、弾性範囲（弾性による移動距離）が小さく、突起・突部越えの凹凸段差を小さくしなければならなく、小さくすると摩耗によって係止能力が直ぐに低下してしまう。
【００１２】
本発明は、飲み易い新規な飲料容器の蓋体を提案したものである。
【課題を解決するための手段】
【００１３】
本発明に係る飲料容器の蓋体は、飲料容器の上部開口部に装着され、周壁部と前記開口部を塞ぐ蓋板部とを備え、蓋板部の一方側に流出口を設けると共に、前記流出口を開閉する開閉蓋を有する飲料容器の蓋体において、前記開閉蓋が流出口を閉口する蓋部を備え、前記開閉蓋が回動自在となるように枢支すると共に、枢支箇所を全閉時の蓋部より上方の周壁内側に設けて、全開時に蓋部が周壁部上で水平に位置し、流出口側の周壁部を飲み口部に形成してなることを特徴とするものである。
【００１４】
而して飲料が注入されている飲料容器（容器体）に蓋体を装着し、蓋体の開閉蓋を回動操作して流出口を開口し、容器体内飲料を喫飲するものである。特に開閉蓋の枢結位置を周壁部の内側において蓋部より高くして、全開時に蓋部が周壁部上で水平に位置するので、喫飲時（開閉蓋全開時）に蓋部の裏面に付着する滴が鼻に付着することなく、且つ喫飲時に開閉蓋が邪魔にならない利点がある。
【００１５】
また本発明（請求項２）に係る飲料容器は、周壁部における飲み口部となる箇所を高く形成してなるようにしたもので、より以上喫飲時に開閉蓋が邪魔にならない
【発明の効果】
【００１６】
本発明の構成は上記のとおりで、開閉蓋を備えた蓋飲料容器の蓋体において、特に開閉蓋の枢支位置を蓋部より高くして、開閉蓋の全開時に周壁上に煽り移動させて、喫飲時に開閉蓋が邪魔にならないようにしたものである。
【図面の簡単な説明】
【００１７】
【図１】本発明の第一実施形態の使用状態の全体斜視図。
【図２】同蓋体の分解斜視図。
【図３】同係止構造の動作説明図で（イ）は分解斜視図（ロ）は平面図。
【図４】同係止構造の動作説明平面図で（イ）は全閉時（ロ）は回動動作時（ハ）は全開時。
【図５】同全体の断面図。
【図６】同喫飲時の説明図。
【図７】同蓋体の本体の平面図。
【図８】同第二実施形態の使用状態の全体斜視図。
【図９】同平面図。
【図１０】同蓋体の分解斜視図。
【図１１】同蓋体の本体の平面図。
【図１２】同使用状態の断面図（熱湯注入時）。
【図１３】同使用状態の断面図（飲料抽出時）。
【図１４】同使用状態の断面図（飲料保管時）。
【図１５】同使用状態の断面図（喫飲時）。
【図１６】参考実施形態の全体斜視図。
【図１７】同使用状態の断面図。
【図１８】同使用状態の断面図（熱湯注入時）。
【図１９】同使用状態の断面図（喫飲時）。
【発明を実施するための形態】
【００１８】
次に本発明の実施形態について説明する。図１乃至７は本発明の第一実施形態であり、特に飲料調製部を組み込んでいない例である。
【００１９】
本発明は飲料容器（容器体）Ａに装着する蓋体Ｂに係るもので、容器体Ａについては特に限定されないが、保温効果を考えステンレス真空二重構造の容器本体ａと、前記容器本体の開口部を保護する樹脂製の肩部ｂと、持ち手ｃとで構成されているものを採用する。
【００２０】
蓋体Ｂは、前記容器本体Ａの開口部に装着されるもので、蓋本体１と開閉蓋２の二部材で構成される。
【００２１】
蓋本体１は、容器体Ａの開口部に嵌合装着される周壁部１１と、周壁部１１の内方下方部分で容器体Ａの開口部を塞ぐ蓋板部１２とを備え、蓋板部１２は、一方側（前方に定義づける）を低く形成した傾斜面で、最下位置に流出口１３を設け、周壁部１１の下方外周にパッキン１４を設け、容器体Ａの開口部に液封状態で嵌合装着するものである。
【００２２】
また前記周壁部１１における流出口１３を形成した前方部分は、少し高くして飲み口部１１１に形成する。また流出口１３は後述する開閉蓋２の蓋部２１の大きさに対応する面積に形成したものである。
【００２３】
開閉蓋２は、前記流出口１３を閉口する蓋部２１と、蓋部２１の両側後方に突設した支持腕２２と、蓋部２１で流出口１３を閉口した際に、前方の周壁部１１の内周面１１２に当接し、且つ飲み口部１１１の上端を庇状に覆う操作摘み部２３とを備えたものである。
【００２４】
前記の開閉蓋２の装着は、支持腕２２の端部を周壁部内周面１１２に、回動自在となるように枢支するもので、特に蓋部２１の大きさを、流出口全閉時に蓋部２１が蓋板部１２の中心（蓋体の平面視の前後中心）まで達せず、且つ全開口時に蓋部２１が後方の周壁部１１上に位置すると共に、蓋板部１２を隠蔽しないようにしたものである。この構成を実現するために枢支位置となる支持腕２２の端部を、全閉時に上方に跳ね上がる形状に形成したものである。
【００２５】
また前記の枢支構造は、支持腕２２の端部外側面に軸部２２１を突設すると共に、軸部２２１外周に係止凸部２２２を設け、周壁部１１の内周面１１２の所定位置に軸穴部１１３と係止凸部２２２が係止される係止凹部１１４を前後に設けてなる。
【００２６】
而して前記飲料容器の蓋体Ｂは、飲料容器Ａに装着されて使用されるもので、飲料を飲料容器Ａ内に注ぎ入れた後に蓋体Ｂを装着しても良いし、蓋体Ｂを装着した後に流出口１３を開口し、流出口１３から飲料を注ぎ入れるようにしても良い。
【００２７】
飲料が飲料容器Ａに満たされた状態で、喫飲時に開閉蓋２を回動操作して流出口１３を開口して喫飲し、非喫飲時には開閉蓋２で流出口１３を閉口しておくものである。
【００２８】
特に前記実施形態においては、前記の開閉蓋２の開閉動作に際して、全閉時に係止凸部２２２が前側の係止凹部１１４内に嵌合して係止状態であり、開閉蓋２を全開状態に移行させるために回動すると、係止凸部２２２が係止凹部１１４から脱出し、全閉状態に至ると係止凸部２２２が後側の係止凹部１１４内に嵌合して係止状態となり、飲料容器を傾けても開閉蓋２が安定した状態で係止されるので喫飲の障害とならず、また特に全開時に蓋部２１が周壁部１１上で水平に位置し、且つ操作摘み部２３も周壁部１１の外周側に位置し、且つ飲み口部１１１を高く形成しているので、喫飲時に開閉蓋２が邪魔にならない。
【００２９】
また前記の開閉蓋２の回動時における係止凸部２２２が係止凹部１１４から脱出及び嵌合係止は、支持腕２２の中心方向への弾性でなされるので、その弾性範囲（係止段差）を大きくでき、係止凹部１１４及び係止凸部２２２の摩耗に対する耐久力を高めることができたものである。
【００３０】
更に前記実施形態は、図７に示すように蓋板部１２の面積を広くとることができると共に、全閉時及び全開時において蓋部２１が蓋板部１２の露出の邪魔にならないので、蓋板部１２の裏面に飲料調製部等の他機能構造を組み込みやすい利点も有する。
【００３１】
次に本発明の第二実施形態について説明する。第二実施形態は図８〜１５に示したもので、蓋板部１２に飲料調製部４を付設したものである。
【００３２】
この第二実施形態の蓋体Ｃは、飲料調製部４を組み込む構造以外は、前記した第一実施形態と同様であり、図示した同番号は、第一実施形態の構成と同一である。
【００３３】
飲料調製部４は、筒部４１と網状有底筒部４２で構成され、筒部４１は、蓋本体１ａと一体に形成されるもので、蓋板部１２に設けた投入口１５に連続して垂設するもので、底縁内周に係止突部４１１を設け、上縁内周には後述する投入口開閉蓋３の係止受部４１２を形成したものである。
【００３４】
網状有底筒部４２は、筒部内４１内に挿入される大きさで、周面を網状に形成した容器体であり、上縁部外周及び下縁部外周に、それぞれ係止突部４１１と係合する突起状の上部係止部４２１と下部係止部４２２を設けたものである。
【００３５】
投入口開閉蓋３は、投入口１５に着脱自在に装着されるもので、係止受部４１２と係合する垂下係止部３１を付設したものである。
【００３６】
而して上記の第二実施形態の蓋体Ｃを採用した飲料容器は、所望の飲料を調製することができるもので、網状有底筒部４２を筒部４１から下方へ引き出し、係止突部４１１と上部係止部４２１との係合で、網状有底筒部４２を筒部４１から吊り下げ状態とするものである（図１２）。
【００３７】
そこで茶葉・コーヒー粉末等の調製しようとする飲料の抽出対象物を投入口１５から所定量入れ、投入口１５から熱湯を注ぎ入れることで、ドリップ方式で飲料抽出（飲料調製）を行うもので、高い濃度の飲料を欲する場合には、網状有底筒部４２を筒部４１から吊り下げた状態を維持し（図１３）、適度な飲料濃度を得られたならば、網状有底筒部４２を筒部４１内に引き上げ、係止突部４１１と下部係止部４２２との係合で（図１４）、網状有底筒部４２を筒部４１内に収納して飲料抽出状態を中止する。
【００３８】
飲料抽出を行って調製した飲料を喫飲する際には、開閉蓋２を回動操作して流出口１３を開口し、喫飲するものである。
【００３９】
特に網状有底筒部４２を引き上げて、抽出対象物からの飲料抽出を中止状態とすることで、飲料濃度がいたずらに濃くなることが無く、投入口開閉蓋３を外し、投入口１５から再度熱湯を注ぎ入れることで、飲料の再調製が可能となるものである。
【００４０】
このように、蓋体Ｃにおいても蓋板部１２の面積を広くとることができた結果、飲料調製部４を容易に組み込む構造を採用することができると共に、開閉蓋２の全閉時及び全開時において蓋部２１が、投入口１５を塞がないので、飲料調整作業も容易にできるものである。勿論開閉蓋２の全開時全閉時の係止に際しての作用効果は第二実施形態も同様である。
【００４１】
次に本発明の参考実施形態について説明する。参考実施形態は図１６乃至１９に示したもので、第二実施形態と同様に蓋板部１２に飲料調製部４ａを付設したものであるが、開閉蓋２ａが本発明の支持腕構造を採用しない例である。この参考実施形態の蓋体Ｄも、飲料調製部４ａの組み込みと開閉蓋２ａの構成が相違する以外は、前記した第一実施形態及び第二実施形態と同様であり、図示した同番号は第一実施形態及び第二実施形態と同一構成を示すものである。
【００４２】
この参考実施形態の蓋体Ｄは、蓋本体１ｂと開閉蓋２ａで構成され、蓋本体１ｂは、周壁部１１と、蓋板部１２と流出口１３とパッキン１４を設けたもので、特に蓋板部１２に投入口１５ａを形成すると共に、投入口１５ａの下方内周部分に吊下用突部１５１を設けたものである。
【００４３】
また開閉蓋２ａは、流出口１３を塞ぐ半円形状の蓋部２１ａと、飲み口部１１１の上端を庇状に覆う操作摘み部２３を備え、蓋部２１ａの側縁後端で周壁部１１に枢支して回動自在とし、流出口１３の開閉を行うようにしたものである。
【００４４】
また投入口１５ａには投入口開閉蓋３ａを設けたもので、投入口開閉蓋３ａは、半円形状での側縁前端で周壁部１１に枢支して回動自在とし、投入口１５ａの開閉を行うようにしたものである。
【００４５】
飲料調製部４ａは、容器形状の網状有底筒部で構成されるもので、上端には吊下用突部１５１に係止される係止鍔部４３を設け、前記投入口１５ａ内に装着するものである。
【００４６】
而して上記の参考実施形態の蓋体Ｄを採用した飲料容器は、第二実施形態と同様に所望の飲料を調製することができるもので、投入口開閉蓋３ａを操作して投入口１５ａを開口し、抽出対象物を投入口１５ａから飲料調製部４ａに入れ、投入口１５ａから熱湯を注ぎ入れることで、飲料抽出（飲料調製）を行うものである（図１８）。
【００４７】
熱湯注入後は投入口開閉蓋３ａを閉じ、開閉蓋２ａを操作して流出口１３を開口して調製した飲料を喫飲するもので、飲料調製部４ａを取り外すことなく、調製後にそのままの状態で喫飲できる飲料容器を提供できたものである。
【符号の説明】
【００４８】
Ａ      飲料容器（容器体）
ａ      容器本体
ｂ      肩部
ｃ      持ち手
Ｂ，Ｃ，Ｄ    蓋体
１，１ａ，１ｂ      蓋本体
１１    周壁部
１１１    飲み口部
１１２    周壁部内周面
１１３    軸穴部
１１４    係止凹部
１２    蓋板部
１３    流出口
１４    パッキン
１５，１５ａ    投入口
１５１    吊下用突部
２，２ａ      開閉蓋
２１，２１ａ    蓋部
２２    支持腕
２２１    軸部
２２２    係止凸部
２３    操作摘み部
３，３ａ      投入口開閉蓋
３１    垂下係止部
４，４ａ      飲料調製部
４１    筒部
４１１    係止突部
４１２    係止受部
４２    網状有底筒部
４２１    上部係止部
４２２    下部係止部
４３    係止鍔部
【図１】
2014097410.tif 000003
【図２】
2014097410.tif 000004
【図３】
2014097410.tif 000005
【図４】
2014097410.tif 000006
【図５】
2014097410.tif 000007
【図６】
2014097410.tif 000008
【図７】
2014097410.tif 000009
【図８】
2014097410.tif 000010
【図９】
2014097410.tif 000011
【図１０】
2014097410.tif 000012
【図１１】
2014097410.tif 000013
【図１２】
2014097410.tif 000014
【図１３】
2014097410.tif 000015
【図１４】
2014097410.tif 000016
【図１５】
2014097410.tif 000017
【図１６】
2014097410.tif 000018
【図１７】
2014097410.tif 000019
【図１８】
2014097410.tif 000020
【図１９】
2014097410.tif 000021